(57)【要約】  電力線を用いて高周波信号を伝送する電力線通信だけでなく、任意の電線を用いて高周波信号を伝送する場合に、バイパス対象機器の機種の特性に影響され難く、かつ効率よくバイパスする信号バイパス装置を得ることを目的として、２本の電線の途中に通信障害機器が存在する場合において、前記通信障害機器の両端側における２本の電線のそれぞれに当該電線に沿って移動可能に配置した分割型コアと、前記通信障害機器の両端側において対応する前記分割型コア同士をトランスとして機能するように接続するケーブルとを備えている。
2007110902.tif 000002
【特許請求の範囲】
【請求項１】
２本の電線の途中に通信障害機器が存在する場合において、
前記通信障害機器の両端側における２本の電線のそれぞれに当該電線に沿って移動可能に配置した分割型コアと、
前記通信障害機器の両端側において対応する前記分割型コア同士をトランスとして機能するように接続するケーブルと
を備えていることを特徴とする信号バイパス装置。
【請求項２】
２本の電線の途中に通信障害機器が存在する場合において、
前記通信障害機器の両端側における２本の電線のうち対応する一方の電線のそれぞれに当該電線に沿って移動可能に配置した分割型コアと、
前記分割型コア同士をトランスとして機能するように接続するケーブルと
を備えていることを特徴とする信号バイパス装置。
【発明の詳細な説明】
【技術分野】
【０００１】
この発明は、電線上の通信信号を途中に存在する通信障害機器をバイパスして伝送する信号バイパス装置に関するものである。
【背景技術】
【０００２】
電線上の通信信号を途中に存在する通信障害機器をバイパスして伝送する信号バイパス伝送方法として、従来では、電力線を用いて高周波信号を伝送する電力線通信において、配電トランスが通信障害を与えることから、高圧配電線上の通信信号を高圧配電線から配電トランスをバイパスして低圧配電線に伝送する方法が知られている（例えば、特許文献１〜４）。【０００３】
すなわち、特許文献１では、高圧配電線に高周波の通信信号を重畳し、高圧配電線の相間に第１コンデンサとこのコンデンサに直列に接続された抵抗とを形成し、抵抗の両端を低圧配電線に接続することで、高圧配電線から配電トランスをバイパスして低圧配電線に高周波の通信信号を伝送する電力線を用いた信号伝送方法（つまり、信号バイパス伝送方法）が開示されている。【０００４】
また、特許文献２では、信号線を変圧器の２次側のブレーカの手前の２本の電力線及び需要家の電力量計を通過した２本の電力線にそれぞれ磁気結合することにより、ブレーカ及び電力量計を信号線によりバイパスする方法が開示されている。【０００５】
また、特許文献３では、配電線の電圧分布が極小となる地点において電流分布が極大となるので、電力線への信号送受点がこの位置でも、磁気結合させる電流トランスを使うことによって信号送受信を可能にする方法が開示されている。【０００６】
また、特許文献４では、電力線の途中に介在する電気機器の両側における電力線に、断面が半円弧状のフェライトで構成された２つの磁気コア片で当該電力線を挟み込む形で装着した伝送信号注入器を設け、両伝送信号注入器の相互間をバイパス回路で接続した伝送信号バイパス装置が開示されている。【０００７】
【特許文献１】特開２００２−２１７７９６号公報
【特許文献２】特開２００４−２８２３９７号公報
【特許文献３】特開平０９−１４８９６８号公報
【特許文献４】特開２００６−５６０１号公報
【発明の開示】
【発明が解決しようとする課題】
【０００８】
しかしながら、従来技術による信号バイパス伝送方法では、バイパス対象の配電機器の影響を受けるという問題がある。例えば、バイパス対象の配線機器が分電盤のような分岐のある機器であるときは、分岐端からの信号反射の影響を受けるので、バイパスさせる信号の伝送特性が悪くなる。【０００９】
また、従来の信号バイパス伝送方法は、コンデンサの形成方法として、導電性テープまたはシートを高圧（低圧）配電線の絶縁被覆上に巻き付ける方法、または導電性円筒部材の分割片で高圧（低圧）配電線の絶縁被覆を挟み込む方法などを採っており、伝送特性確保のために電線１ｍに渡ってコンデンサを形成することが例として挙げられている。このように、コンデンサ形成のための作業が容易でないという問題もある。【００１０】
一方、電力線を用いて高周波信号を伝送する電力線通信だけでなく、例えば電線がスイッチを介して繋がっているが、そのスイッチが開路状態にある場合には当該スイッチは通信障害機器になるので、そのスイッチをバイパスして両端の電線を高周波的に接続することができれば、任意の電線を用いた高周波信号の伝送ができるので、通信サービスの向上が図れる。【００１１】
この場合、特許文献４に記載の技術では、注入した高周波信号の波形歪みがなく、高周波ノイズも含まない形でバイパスできるが、装着した伝送信号注入器の取り付け位置の調整ができないので、バイパス対象機器の機種の特性に合わせた効率のよいバイパスが行えないという問題がある。【００１２】
この発明は、上記に鑑みてなされたものであり、電力線を用いて高周波信号を伝送する電力線通信だけでなく、任意の電線を用いて高周波信号を伝送する場合に、バイパス対象機器の機種の特性に影響され難く、かつ効率よくバイパスすることができる信号バイパス装置を得ることを目的とする。
【課題を解決するための手段】
【００１３】
上述した目的を達成するために、この発明にかかる信号バイパス装置は、２本の電線の途中に通信障害機器が存在する場合において、前記通信障害機器の両端側における２本の電線のそれぞれに当該電線に沿って移動可能に配置した分割型コアと、前記通信障害機器の両端側において対応する前記分割型コア同士をトランスとして機能するように接続するケーブルとを備えていることを特徴とする。【００１４】
この発明によれば、コア配置位置から通信障害機器側を見たインピーダンスが低くなるように、コア配置位置と通信障害機器との間の線路長を調整できるので、バイパス対象機器の機種の特性に合わせた効率のよいバイパスが行える。
【発明の効果】
【００１５】
この発明によれば、電力線を用いて高周波信号を伝送する電力線通信だけでなく、任意の電線を用いて高周波信号を伝送する場合に、バイパス対象機器の機種の特性に影響され難く、かつ効率よくバイパスすることができるという効果を奏する。
【図面の簡単な説明】
【００１６】
【図１】図１は、この発明の一実施の形態による信号バイパス装置の機器配置を示す図である。
【図２】図２は、図１に示す信号バイパス装置の回路構成を示す等価回路図である。
【符号の説明】
【００１７】
１〜４，２１〜２４，２５〜２８  配電線
５  配電機器
６ａ，６ｂ，７ａ，７ｂ  分割型のコア
６  分割型のコア６ａ，６ｂを一体的に移動可能としたコア
７  分割型のコア７ａ，７ｂを一体的に移動可能としたコア
１０  ケーブル
１０ａ，１０ｂ  通信線
Ａ１，Ａ２，Ｂ１，Ｂ２  接続点
ＴＬ１０，ＴＬ１１，ＴＬ１２  伝送線路
Ｔ１〜Ｔ４  トランス
【発明を実施するための最良の形態】
【００１８】
以下に図面を参照して、この発明にかかる信号バイパス装置の好適な実施の形態を詳細に説明する。【００１９】
図１は、この発明の一実施の形態による信号バイパス装置の機器配置を示す図である。図２は、図１に示す信号バイパス装置の回路構成を示す等価回路図である。なお、この実施の形態では、この発明の理解を容易にするため、電力線を用いて高周波信号を伝送する電力線通信を例に挙げて説明する。【００２０】
図１において、配電線１，２と配電線３，４との間には、通信障害となる配電機器５が設置されている。配電機器５は、分電盤、柱上変圧器やキャパシタバンクなどである。図１に示す信号バイパス装置は、この配電機器５をバイパスして一端側の配電線１，２と他端側の配電線３，４とを高周波的に接続し高周波信号の通信路を形成するように構成されている。【００２１】
すなわち、配電機器５の一端側の配電線１，２それぞれに分割型のコア６ａ，６ｂを挟み込んで設置し、また配電機器５の他端側の配電線３，４それぞれに分割方のコア７ａ，７ｂを挟み込んで設置し、コア６ａ，６ｂとコア７ａ，７ｂとをそれぞれのコアに通したケーブル１０によって接続する。これによって、コア６ａ，６ｂ，７ａ，７ｂは、それぞれトランスとして機能する。【００２２】
ここで、コア６ａ，６ｂの配電線１，２への取り付け構造は、コア６ａ，６ｂをひとまとめにしたコア６として一体的に配電線１，２に沿って任意の位置に移動して配置できるようになっている。同様に、コア７ａ，７ｂの配電線３，４への取り付け構造は、コア７ａ，７ｂをひとまとめにしたコア７として一体的に配電線３，４に沿って任意の位置に移動して配置できるようになっている。すなわち、コア６（６ａ，６ｂ）の配置位置から配電線１，２の配電機器５との接続位置までの線路長ｘ１１を任意に変えることができ、また、コア７（７ａ，７ｂ）の配置位置から配電線３，４の配電機器５との接続位置までの線路長ｘ１２を任意に変えることができるようになっている。【００２３】
このように「コア」を移動可能に「配電線」に配置する構造は、種々考えられるが、例えば、「コア」を所定長の「レール」に移動可能に取り付け、その「レール」を「配電線」に固定する構造が簡単である。後述するように計算で求めた「線路長」が「コア」の初期位置であるので、「レール」を固定する「配電線」上の位置は、その計算で求めた「線路長」が「レール」の例えば中央位置となるように選定する。「コア」の位置調節は、治具を用いて配電機器５の特性や「配電線」の伝送特性を観測しながら行うことになる。【００２４】
したがって、図１に示す信号バイパス装置の回路構成は、図２に示すようになる。図２において、配電機器５の一端側では、外部に一端が接続される配電線２１の他端はコア６ａが形成するトランスＴ１の一方の入出力側巻線を介して配電線２３の一端に接続され、配電線２３の他端は配電機器５の一端側の接続点Ａ１に接続される。以上が図１に示す配電線１とコア６ａとの関係である。【００２５】
また、外部に一端が接続される配電線２２の他端はコア６ｂが形成するトランスＴ２の一方の入出力側巻線を介して配電線２４の一端に接続され、配電線２４の他端は配電機器５の一端側の接続点Ａ２に接続される。以上が図１に示す配電線２とコア６ｂとの関係である。【００２６】
同様に、配電機器５の他端側では、外部に一端が接続される配電線２７の他端はコア７ａが形成するトランスＴ３の一方の入出力側巻線を介して配電線２５の一端に接続され、配電線２５の他端は配電機器５の他端の接続点Ｂ１に接続される。以上が図１に示す配電線３とコア７ａとの関係である。【００２７】
また、外部に一端が接続される配電線２８の他端はコア７ｂが形成するトランスＴ４の一方の入出力側巻線を介して配電線２６の一端に接続され、配電線２６の他端は配電機器５の他端側の接続点Ｂ２に接続される。以上が図１に示す配電線４とコア７ｂの関係である。【００２８】
そして、図１に示すケーブル１０は、トランスＴ１およびトランスＴ３の各他方の入出力側巻線の他端間を接続する通信線１０ａと、トランスＴ２およびトランスＴ４の各他方の入出力側巻線の他端間を接続する通信線１０ｂとで構成されるとしている。なお、通信線１０ａ，１０ｂが構成する伝送線路ＴＬ１０の特性は、特性インピーダンスＺ０１０と、単位長さ当たりの伝送遅延τ１０と、線路長ｘ１０とで決められる。【００２９】
また、トランスＴ１，Ｔ２と配電機器５との間を接続する配電線２３，２４で構成される伝送線路ＴＬ１１の特性は、特性インピーダンスＺ０１１と、単位長さ当たりの伝送遅延τ１１と、図１に示す線路長ｘ１１とで決められる。同様に、トランスＴ３，Ｔ４と配電機器５との間を接続する配電線２５，２６で構成される伝送線路ＴＬ１２の特性は、特性インピーダンスＺ０１２と、単位長さ当たりの伝送遅延τ１２と、図１に示す線路長ｘ１２とで決められる。【００３０】
なお、トランスＴ１は、一方の入出力巻線が配電線側の自己インダクタンスＬ１１を有し、他方の入出力側巻線がケーブル側の自己インダクタンスＬ１２を有し、結合係数ｋ１を有するとしている。同様に、トランスＴ２は、一方の入出力巻線が配電線側の自己インダクタンスＬ２１を有し、他方の入出力側巻線がケーブル側の自己インダクタンスＬ２２を有し、結合係数ｋ２を有するとしている。【００３１】
また、トランスＴ３は、一方の入出力巻線が配電線側の自己インダクタンスＬ３１を有し、他方の入出力側巻線がケーブル側の自己インダクタンスＬ３２を有し、結合係数ｋ３ｋ４を有するとしている。同様に、トランスＴ４は、一方の入出力巻線が配電線側の自己インダクタンスＬ４１を有し、他方の入出力側巻線がケーブル側の自己インダクタンスＬ４２を有し、結合係数ｋ４を有するとしている。【００３２】
次に、図２を参照して、以上のように構成されるこの実施の形態による信号バイパス装置の動作について説明する。まず、電力線通信の高周波信号が配電線２１，２２の一端側に注入されていて、トランスＴ１，Ｔ２からその高周波信号を取り出し、それを通信線１０ａ，１０ｂを経由してトランスＴ３，Ｔ４に注入する信号バイパス動作について説明する。【００３３】
配電線２１，２２の一端側には、商用周波数の電力の他、高周波信号である電力線通信信号が重畳されている。その高周波信号のみがトランスＴ１，Ｔ２によって通信線１０ａ，１０ｂ側に取り出される。取り出された高周波信号は、通信線１０ａ，１０ｂによってトランスＴ３，Ｔ４の一方の入出力巻線に伝達され、トランスＴ３，Ｔ４の他方の入出力巻線から配電線２７，２８に注入される。【００３４】
このとき、トランスＴ１と配電線２３との接続点と、トランスＴ２と配電線２４との接続点との間のインピーダンスが低くなるように伝送線路ＴＬ１１の線路長ｘ１１を調整する。調整方法は後述するが、このインピーダンスをトランスＴ１，Ｔ２から配電線２３，２４をみたインピーダンスと呼ぶことにすると、このインピーダンスを低くすることによる効果には２点ある。【００３５】
すなわち、第１の効果は、トランスＴ１，Ｔ２から配電線２３，２４を見たインピーダンスを低くすると、伝送信号の使用する高周波帯域において配電機器５の損失特性の影響が、高周波信号を取り出す地点であるトランスＴ１，Ｔ２において、見え難くなることである。つまり、このインピーダンスが低ければ、配電機器５の特性が現れる電圧は小さくなるので、トランスＴ１，Ｔ２では、配電機器５の特性の影響を受け難くなり、配電線２１，２２から高周波信号を取り出し通信線１０ａ，１０ｂに送り出すことができる。【００３６】
また、第２の効果は、トランスＴ１，Ｔ２から配電線２３，２４を見たインピーダンスを低くすると、トランスＴ１，Ｔ２による高周波信号の取り出し効率が向上することである。トランスＴ１は、配電線２１と配電線２３との間にそのインダクタンスによるインピーダンス分の電位差を生じさせる。同様に、トランスＴ２は、配電線２２と配電線２４の間にそのインダクタンスによるインピーダンス分の電位差を生じさせる。配電線２１と配電線２２から来た高周波信号の電圧は、トランスＴ１のインダクタンスによるインピーダンスと、トランスＴ２のインダクタンスによるインピーダンスと、トランスＴ１，Ｔ２から配電線２３，２４を見たインピーダンスとの３つのインピーダンスの割合に応じてそれぞれに分配される。【００３７】
したがって、これら３つのインピーダンスのうち、トランスＴ１，Ｔ２から配電線２３，２４を見たインピーダンスを低くすることにより、他の２つのインピーダンス、すなわちトランスＴ１のインダクタンスによるインピーダンスとトランスＴ２のインダクタンスによるインピーダンスとによって分配される電位差の割合は高くなるので、トランスＴ１，Ｔ２にそれぞれ発生する電位差を大きくすることができ、トランスＴ１，Ｔ２が配電線２１，２２から高周波信号を取り出す効率を上げることができる。【００３８】
同様に、トランスＴ３と配電線２５との接続点とトランスＴ４と配電線２６との接続点との間のインピーダンスが低くなるように伝送線路ＴＬ１２の線路長ｘ１２を調整する。調整方法は後述するが、このインピーダンスをトランスＴ３，Ｔ４から配電線２５，２６を見たインピーダンスと呼ぶことにすると、このインピーダンスを低くすることによる効果には２点ある。【００３９】
すなわち、第１の効果は、トランスＴ３，Ｔ４から配電線２５，２６を見たインピーダンスを低くすると、伝送信号の使用する高周波帯域において配電機器５の損失特性の影響が、高周波信号を取り出す地点であるトランスＴ３，Ｔ４において、見え難くなることである。つまり、このインピーダンスが低ければ、配電機器５の特性が現れる電圧は小さくなるので、トランスＴ３，Ｔ４では、配電機器５の特性の影響を受け難くなり、通信線１０ａ，１０ｂから高周波信号を取り出し配電線２７，２８に送り出すことができる。【００４０】
また、第２の効果は、トランスＴ３，Ｔ４から配電線２５，２６を見たインピーダンスを低くすると、トランスＴ３，Ｔ４による高周波信号の取り出し効率が向上することである。トランスＴ３は、配電線２５と配電線２７との間にそのインダクタンスによるインピーダンス分の電位差を生じさせる。同様に、トランスＴ４は、配電線２６と配電線２８との間にそのインダクタンスによるインピーダンス分の電位差を生じさせる。通信線１０ａ，１０ｂから来た信号は、トランスＴ３，Ｔ４に発生させる電圧となる。この電圧は、トランスＴ３，Ｔ４から配電線２５，２６を見たインピーダンスと、配電線２７，２８の間のインピーダンスとの２つのインピーダンスの割合に応じてそれぞれに分配される。【００４１】
したがって、これら２つのインピーダンスのうち、トランスＴ３，Ｔ４から配電線２５，２６を見たインピーダンスを低くすることにより、他のインピーダンス、すなわち配電線２７，２８の間のインピーダンスによって分配される電位差の割合は高くなるので、配電線２７，２８の間に発生する電位差を大きくすることができ、通信線１０ａ，１０ｂがトランスＴ３，Ｔ４から高周波信号を取り出す効率を上げることができる。【００４２】
以上のように、コア６，７から配電機器５側の配電線２３，２４および配電線２５，２６を見たインピーダンスが低いと、伝送信号をバイパスする性能が良好となる。そして、このコア６，７から配電機器５側の配電線２３，２４および配電線２５，２６を見たインピーダンスは、配電線２３，２４および配電線２５，２６を分布定数線路としての線路長ｘ１１，ｘ１２を調整することによって低くすることができると説明した。以下に、線路長ｘ１１，ｘ１２の調整方法について具体的に説明する。【００４３】
線路長ｘ１１，ｘ１２の調整手順は、まず、配電機器５の特性や配電線２３，２４および配電線２５，２６の特性から計算によってインピーダンスを低くする線路長ｘ１１，ｘ１２を求め、配置位置を調整可能にする構造を付与したコア６，７を配電線２３，２４および配電線２５，２６に配置し、その配電線２３，２４および配電線２５，２６においてコア６，７の配置位置を調節して適切な線路長ｘ１１，ｘ１２に設定するという手順となる。線路長ｘ１１，ｘ１２は、次の２通りのいずれかの方法で求める。【００４４】
まず、配電機器５の特性として配電線がオープンの状態である場合（例えば、ブレーカで開いた状態や、開閉器で開いた状態が該当する）または配電機器５のインピーダンスが高い場合には、コア６，７を配電機器５直近に設置すると、コア設置部から見た配電機器側５の配電線のインピーダンスが高いので、コア６，７による信号伝達性能は悪い。そこで、当該インピーダンスを低くする線路長ｘ１１，ｘ１２を次のようにして求めてコア６，７を設置する。ここでは、配電機器５に接続されている配電線２３，２４および配電線２５，２６がオープン状態である場合について説明する。【００４５】
コア６の設置部から配電機器５までの配電線２３，２４について、線路長をｘ１１、単位長さ当りの伝送遅延をτ１１、特性インピーダンスをＺ０１１とする。また、伝送信号の周波数をｆ、波長をλとすれば、コア６の設置部から配電機器５側の配電線２３，２４を見たインピーダンスＺ＿ｕ１は、次の式（１）で与えられる。
Ｚ＿ｕ１＝−ｊ＊Ｚ０１１＊ｃｏｔ（β＊ｘ１１）  …（１）
ここで、β＝２π＊ｆ＊τ１１であり、また、λ＝１／（ｆ＊τ）である。そして、線路長ｘ１１とインピーダンスＺ＿ｕ１との関係は、ｎを任意の整数とすれば、ｘ１１＝（２ｎ＋１）＊λ／４のとき、｜Ｚ＿ｕ１｜＝０となり、また、ｘ１１＝ｎ＊λ／４のとき、｜Ｚ＿ｕ１｜＝∞となる。【００４６】
つまり、コア６の設置部から配電機器５側の配電線２３，２４を見たインピーダンスＺ＿ｕ１が低インピーダンスとなるように、伝送信号の周波数を勘案して線路長ｘ１１を、（２ｎ＋１）＊λ／４の値となるように選定する、または、これに近い値となるように選定するのである。【００４７】
なお、伝送信号の周波数が帯域幅をもつ場合には、帯域幅内が最も低インピーダンスとなるように、周波数ｆを定めて線路長ｘ１１を決定するとよい。また、物理的制約などの条件で線路長ｘ１１を（２ｎ＋１）＊λ／４の値にとれない場合には、条件の許す限りこの値に近づけて低インピーダンス化を図るようにする。そして、コア７の設置部から配電機器５側の配電線２５，２６を見たインピーダンスＺ＿ｕ２も式（１）において、線路長ｘ１１を線路長ｘ１２と置き換えて同様に求める。【００４８】
次に、配電機器５側の特性として、配電線２３，２４および配電線２５，２６がショート状態である場合、または配電機器５のインピーダンスが低い場合には、コア６，７を配電機器５直近に設置すると、コア設置部からみた配電機器５側のインピーダンスが低いので、コア６，７による信号伝達性能は良好である。この場合、コア６，７の設置部から配電機器５側の配電線２３，２４および配電線２５，２６を見たインピーダンスを低くする線路長ｘ１１，ｘ１２を次のようにして求めてコア６，７を設置する。ここでは、配電機器５に接続されている配電線２３，２４および配電線２５，２６がショート状態である場合について説明する。【００４９】
この場合には、コア６の設置部から配電機器５側の配電線２３，２４を見たインピーダンスＺ＿ｕ１は、上記の式（１）で与えられ、β＝２π＊ｆ＊τ１１であり、また、λ＝１／（ｆ＊τ）であるが、線路長ｘ１１とインピーダンスＺ＿ｕ１との関係が、上記とは逆に、ｎを任意の整数とすれば、ｘ１１＝（２ｎ＋１）＊λ／４のとき、｜Ｚ＿ｕ１｜＝∞となり、また、ｘ１１＝ｎ＊λ／４のとき、｜Ｚ＿ｕ１｜＝０となる。【００５０】
つまり、コア６の設置部から配電機器５側の配電線２３，２４を見たインピーダンスＺ＿ｕ１が低インピーダンスとなるように、伝送信号の周波数を勘案して線路長ｘ１１を、ｎ＊λ／２の値となるように選定する、または、これに近い値となるように選定するのである。【００５１】
なお、伝送信号の周波数が帯域幅をもつ場合には、帯域幅内が最も低インピーダンスとなるように、周波数ｆを定めて線路長ｘ１１を決定するとよい。また、物理的制約などの条件で線路長ｘ１１をｎ＊λ／２の値にとれない場合には、条件の許す限りこの値に近づけて低インピーダンス化を図るようにする。そして、コア７の設置部から配電機器５側の配電線２５，２６を見たインピーダンスＺ＿ｕ２も式（１）において、線路長ｘ１１を線路長ｘ１２と置き換えて同様に求める。【００５２】
以上のように、配電線上において低インピーダンスとなるコア位置を求め、配電線２３，２４および配電線２５，２６にコア６，７を配置するが、その配置位置は、実際の配電機器５が有するインピーダンスによって変わるので、伝送路特性を測定しながら、コア６，７の位置を移動させて伝送路特性が最も良い位置を見つけ出し、コア６，７の最終的な位置を選定する。【００５３】
そして、その後に、一度設置した通信装置が変更となるなどして使用する伝送信号の周波数が変われば、最適なコアの設置位置も変わるが、コアの設置位置の微調整も可能であるので、これにも柔軟に対応できる。【００５４】
このように、この実施の形態によれば、配電線上においてコアの位置を移動することによって信号バイパスの伝達性能が最も良くなる位置に調整設置できるので、伝送路、配電線２１，２２に注入され伝送されてきた電力線通信の高周波信号を、トランスＴ１，Ｔ２によって取り出し、通信線１０ａ，１０ｂを経由してトランスＴ３，Ｔ４によって配電線２７，２８に注入することが高効率に可能となる。【００５５】
そして、逆方向、すなわち配電線２７，２８に注入され伝送されてきた電力線通信の高周波信号をトランスＴ３，Ｔ４によって取り出し、通信線１０ａ，１０ｂを経由してトランスＴ１，Ｔ２によって配電線２１，２２に注入することも、配電機器５を中心に対称の構成になっているので、上記と同様に行うことができる。【００５６】
なお、以上説明した実施の形態では、配電機器の両端側における２本の電線のそれぞれに分割型コアを当該電線に沿って移動可能に配置する場合を示したが、この発明はこれに限定されるものではなく、配電機器の両端側における２本の電線のうち対応する一方の電線のそれぞれに分割型コアを当該電線に沿って移動可能に配置する構成でもよいことは言うまでもない。
【産業上の利用可能性】
【００５７】
以上のように、この発明にかかる信号バイパス装置は、電力線を用いて高周波信号を伝送する電力線通信だけでなく、任意の電線を用いて高周波信号を伝送する場合に、バイパス対象機器の機種の特性に影響され難く、かつ効率よくバイパスするのに有用である。
【図１】
2007110902.tif 000003
【図２】
2007110902.tif 000004
【国際調査報告】
2007110902.tif 000005
2007110902.tif 000006